【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
樹脂部分が、エポキシ、ポリシロキサン、及びオルガノオキシシランを含み；
硬化部分が、一つ又は複数のアミノシランを含み；
前記樹脂部分及び硬化部分は、約１．３〜約５の範囲のアミン対エポキシ当量で一つに合わせると硬化して、乾燥消去の性質の少なくとも一つを示す表面を形成するように、設計及び選択される塗料組成物。
【請求項２】
前記硬化部分がさらに乳白剤又は色素を含む、請求項1に記載の塗料組成物。
【請求項３】
前記硬化部分がさらに触媒を含む、請求項１に記載の塗料組成物。
【請求項４】
前記一つ又は複数のアミノシランが、２−アミノエチル−３−アミノプロピルメチルジメトキシシラン、ｎ−ブチル−３アミノプロピルトリメトキシシラン、３−アミノプロピルメチルジエトキシシラン、３−アミノプロピルトリエトキシシラン、２−アミノエチル−３−アミノプロピルトリメトキシシラン、又はそれらのいずれかの組合せからなる群から選択される一つ又は複数のメンバーをさらに含む、請求項１に記載の塗料組成物。
【請求項５】
前記乾燥消去の性質が、約７，５００ｎｍ未満の平均表面粗さ（Ｒａ）；約１０，０００ｎｍ未満の最大表面粗さ（Ｒｍ）；７０超の６０度光沢度；約１５０度未満の接触角；約４５パーセント未満の多孔性；約１０パーセントと約１００パーセントの間の破断点伸び；約３超のスオード（Ｓｗａｒｄ）硬度；約１５０ｍｇ／１,０００回未満のテーバー（Ｔａｂｅｒ）摩耗値；約４ミルと約２４ミルの間のたわみ抵抗、及びそれらの組合せからなる群から選択される、請求項１に記載の塗料組成物。
【請求項６】
表面コーティングが、着色剤及び溶媒を含むマーキング材料を用いてその表面上に表記がなされ、前記溶媒が、水、アルコール、アルコキシアルコール、ケトン、ケトンアルコール、エステル、アセテート、ミネラルスピリット、又はそれらの混合物の一つ又は複数を含んでいる場合に、マーキング材料を、書き込み消去可能な材料の表面から消去して、同一位置における１００回超の書き込み消去に対して、実質的に視認不可能とし得ることを特徴とする、請求項１に記載の塗料組成物。
【請求項７】
前記表面コーティングが、少なくとも約４の吸収時間を特徴とする、請求項１に記載の塗料組成物。
【請求項８】
前記塗料組成物が、１４０ｇ／Ｌ未満の揮発性有機化合物（ＶＯＣ）を有する、請求項１に記載の塗料組成物。
【請求項９】
前記塗料組成物が、１００ｇ／Ｌ未満のＶＯＣを有する、請求項１に記載の塗料組成物。
【請求項１０】
前記樹脂部分が第１の容器に、且つ、前記硬化部分が第２の容器に入っている、請求項１に記載の塗料組成物。
【請求項１１】
基板上に拡がる硬化可能な組成物を含む乾燥消去製品であって：
前記硬化可能な組成物は、
エポキシ、ポリシロキサン、及びオルガノオキシシランを含む樹脂部分；と、
一つ又は複数のアミノシランを含む硬化部分との組み合わせを含み、
前記硬化可能な組成物は、約１．３〜約５の範囲のアミン対エポキシ当量を有し、
前記硬化可能な組成物は、周囲条件下で硬化して、乾燥消去の性質の少なくとも一つを特徴とする表面コーティングを形成することを特徴とする、製品。
【請求項１２】
乾燥消去製品を形成する方法であって、前記方法は:
ある組成の塗料組成物を基板に塗布して、硬化して表面を与えるコーティングを形成することを含み、前記塗料組成物は、
エポキシ、ポリシロキサン、及びオルガノオキシシランを含む樹脂部分；及び
一つ又は複数のアミノシランを含む硬化部分；
を含み、前記樹脂部分と硬化部分は、約１．３〜約５の範囲のアミン対エポキシ当量で一つに合わせると硬化して、乾燥消去の性質の少なくとも一つを示す表面コーティングを形成するように、設計及び選択される、方法。
【請求項１３】
エポキシ、ポリシロキサン、及びオルガノオキシシランを含む樹脂部分と、
一つ又は複数のアミノシランを含む硬化部分と
を含む塗料組成物であって、
前記一つ又は複数のアミノシランは、２−アミノエチル−３−アミノプロピルトリメトキシシランとｎ−ブチル−３−アミノプロピルトリメトキシシランとの組合せを含み、
前記樹脂部分及び前記硬化部分は、一つに合わせるとそれらは硬化して、少なくとも一つの乾燥消去の性質を示す表面を形成するように、設計及び選択される、塗料組成物。
【請求項１４】
前記塗料組成物が、約１〜約５の範囲のアミン対エポキシ当量を有する、請求項１３に記載の塗料組成物。
【請求項１５】
前記乾燥消去の性質が、約７，５００ｎｍ未満の平均表面粗さ（Ｒａ）；約１０，０００ｎｍ未満の最大表面粗さ（Ｒｍ）；７０超の６０度光沢度；約１５０度未満の接触角；約４５パーセント未満の多孔性；約１０パーセントと約１００パーセントの間の破断点伸び；約３超のスオード（Ｓｗａｒｄ）硬度；約１５０ｍｇ／１,０００回未満のテーバー（Ｔａｂｅｒ）摩耗値；約４ミルと約２４ミルの間のたわみ抵抗、及びそれらの組合せからなる群から選択される、請求項１４に記載の塗料組成物。
【請求項１６】
表面コーティングが、着色剤及び溶媒を含むマーキング材料を用いてその表面上に表記がなされ、前記溶媒が、水、アルコール、アルコキシアルコール、ケトン、ケトンアルコール、エステル、アセテート、ミネラルスピリット、又はそれらの混合物の一つ又は複数を含んでいる場合に、同一位置における１００回超の書き込み消去に対して、前記マーキング材料を書き込み消去可能な材料の表面から消去して、実質的に視認不可能とし得ることを特徴とする、請求項１４に記載の塗料組成物。
【手続補正２】
【補正対象書類名】明細書
【補正対象項目名】００２７
【補正方法】変更
【補正の内容】
【００２７】
概して、本明細書に記載の製品又は材料は、「乾燥消去」又は「書き込み消去」であるとされており、もしこれの特徴が、以下に記載のマーキング材料を用いて書き込み可能なものであって、塗布溶媒を使用せずに最小限の労力で、そうした書き込みを実質的に完全に除去することが可能であるというものならば、これらの用語は互換可能に使用される。いくつかの実施形態では、材料は、もし、マーキング材料をこの材料から消去して実際上視認不可能とすることが可能であって、その結果として長期の通常使用の後でさえ、例えば、同一位置での約１０回の書き込み及び消去の後（例えば、約５０回後、約１００回後、約５００回後、約１，０００回後、約２，０００回後、約３，０００回後、約４，０００回後、約５，０００回後、約６，０００回後、約７，０００回後、約８，０００回後、約９，０００回後）に、ほとんど又はまったく残像がない場合、及び／又は特定の書き込み消去試験において所望の性能を有する場合には、「書き込み消去」又は「乾燥消去」とみなされる。いくつかの実施形態では、本明細書に記載の「乾燥消去」／「書き込み消去」材料は、１）約７，５００ｎｍ未満の平均表面粗さ（Ｒａ）；２）約１０，０００ｎｍ未満の最大表面粗さ（Ｒｍ）；３）７０超の６０度光沢度；４）約１５０度未満の接触角；５）約４５パーセント未満の多孔性；６）約１０パーセントと約２００パーセントの間の破断点伸び；７）約３超のスオード硬度；８）約１５０ｍｇ／１，０００回未満のテーバー磨耗値；及び／又は９）約４ミルと約２４ミルの間のたわみ抵抗のうちの一つ又は複数を特徴とする。いくつかの実施形態では、本明細書に記載の「乾燥消去」／「書き込み消去」材料は、少なくとも約４の、本明細書で定義された吸収時間を特徴とする。いくつかの実施形態では、本明細書に記載の「乾燥消去」／「書き込み消去」材料は、本明細書に記載の性質の一つ又は複数を特徴とする。
特定の実施形態では、例えば以下が提供される：
（項目１）
樹脂部分が、エポキシ、ポリシロキサン、及びオルガノオキシシランを含み；
硬化部分が、一つ又は複数のアミノシランを含み；
前記樹脂部分及び硬化部分は、一つに合わせると硬化して、乾燥消去の性質の少なくとも一つを示す表面を形成するように、設計及び選択される塗料組成物。
（項目２）
前記硬化部分がさらに乳白剤又は色素を含む、項目1に記載の塗料組成物。
（項目３）
前記硬化部分がさらに触媒を含む、項目１に記載の塗料組成物。
（項目４）
前記アミノシランが、２−アミノエチル−３−アミノプロピルメチルジメトキシシラン、ｎ−ブチル−３アミノプロピルトリメトキシシラン、３−アミノプロピルメチルジエトキシシラン、３−アミノプロピルトリエトキシシラン、２−アミノエチル−３−アミノプロピルトリメトキシシラン、又はそれらのいずれかの組合せから選択される、項目１〜３のいずれか一項に記載の塗料組成物。
（項目５）
前記塗料組成物が、約２〜約５の範囲のアミン対エポキシ当量を有する、項目１〜４のいずれか一項に記載の塗料組成物。
（項目６）
前記乾燥消去の性質が、約７，５００ｎｍ未満の平均表面粗さ（Ｒａ）；約１０，０００ｎｍ未満の最大表面粗さ（Ｒｍ）；７０超の６０度光沢度；約１５０度未満の接触角；約４５パーセント未満の多孔性；約１０パーセントと約１００パーセントの間の破断点伸び；約３超のスオード（Ｓｗａｒｄ）硬度；約１５０ｍｇ／１,０００回未満のテーバー（Ｔａｂｅｒ）摩耗値；約４ミルと約２４ミルの間のたわみ抵抗、及びそれらの組合せからなる群から選択される、項目１〜５のいずれか一項に記載の塗料組成物。
（項目７）
表面コーティングが、着色剤及び溶媒を含むマーキング材料を用いてその表面上に表記がなされ、前記溶媒が、水、アルコール、アルコキシアルコール、ケトン、ケトンアルコール、エステル、アセテート、ミネラルスピリット、又はそれらの混合物の一つ又は複数を含んでいる場合に、マーキング材料を、書き込み消去可能な材料の表面から消去して、同一位置における１００回超の書き込み消去に対して、実質的に視認不可能とし得ることを特徴とする、項目１〜６のいずれか一項に記載の塗料組成物。
（項目８）
前記表面コーティングが、少なくとも約４の吸収時間を特徴とする、項目１〜７のいずれか一項に記載の塗料組成物。
（項目９）
前記塗料組成物が、１４０ｇ／Ｌ未満の揮発性有機化合物（ＶＯＣ）を有する、項目１〜８のいずれか一項に記載の塗料組成物。
（項目１０）
前記塗料組成物が、１００ｇ／Ｌ未満のＶＯＣを有する、項目１〜９のいずれか一項に記載の塗料組成物。
（項目１１）
前記樹脂部分が第１の容器に、且つ、前記硬化部分が第２の容器に入っている、項目１〜１０のいずれか一項に記載の塗料組成物。
（項目１２）
基板上に拡がる硬化可能な組成物を含む乾燥消去製品であって：
前記硬化可能な組成物は、
エポキシ、ポリシロキサン、及びオルガノオキシシランを含む樹脂部分；と、
一つ又は複数のアミノシランを含む硬化部分との組み合わせを含み、
前記硬化可能な組成物は、周囲条件下で硬化して、乾燥消去の性質の少なくとも一つを特徴とする表面コーティングを形成することを特徴とする、製品。
（項目１３）
乾燥消去製品を形成する方法であって、前記方法は:
ある組成の塗料組成物を基板に塗布して、硬化して表面を与えるコーティングを形成することを含み、前記塗料組成物は、
エポキシ、ポリシロキサン、及びオルガノオキシシランを含む樹脂部分；及び
一つ又は複数のアミノシランを含む硬化部分；
を含み、前記樹脂部分と硬化部分は、一つに合わせると硬化して、乾燥消去の性質の少なくとも一つを示す表面コーティングを形成するように、設計及び選択される、方法。